(57)【特許請求の範囲】
【請求項１】
筒状に巻回されたシート状物が回動自在に収容される本体、
前記本体に回動自在に配設され、前記シート状物を覆うように、前記本体を開閉自在とする蓋体、および
前記蓋体の回動方向先端部に配設され、前記本体から前記シート状物の長手方向に引き出された一端を前記シート状物の幅方向に切断する切断部を含む、収納ケースであって、
前記収納ケースは、前記本体および前記蓋体の少なくとも一方に配設され、吸着力によって、前記収納ケースを所定の取付け面に一時的に着脱自在に固定する固定手段をさらに含み、
前記本体および前記蓋体の少なくとも一方は、弾性および可撓性の少なくとも一方を有する材料で形成され、
前記固定手段は、
前記本体および前記蓋体の少なくとも一方に配設され、その長手方向に延びるＵ字状のスリット開口部、および
前記スリット開口部で囲繞された部位を前記取付け面側に引き起こして形成され、吸着力を有する固定片を含み、
前記固定片が前記取付け面に沿って吸着されることを特徴とする、収納ケース。
【請求項２】
前記収納ケースは、前記シート状物に挿通され、前記シート状物を回動自在に保持する保持ロールを含み、
前記本体は、長手方向に延び設けられる底面部、前記底面部の長手方向の一端および他端に対向して設けられる２つの側面部、前記２つの側面部の上端部に配設され、前記保持ロールを着脱自在に支持する支持部、および、前記底面部の幅方向の一端で且つ前記底面部の長手方向に延び設けられる背面部を含み、その上面、正面および前記正面寄りの底面が開放された箱状に形成され、
前記蓋体は、長手方向に延び設けられる天面部、前記天面部の長手方向の一端および他端に対向して設けられる２つの側面部、および、前記天面部の幅方向の一端で且つ前記天面部の長手方向に延び設けられる正面部を含み、その底面が開放された箱状に形成されることを特徴とする、請求項１に記載の収納ケース。
【請求項３】
前記シート状物は、円筒状に巻回されたシート状物を含み、
前記支持部は、前記側面部の上端部の正面側に配設される切欠き凹部を含み、
前記保持ロールは、
円筒状のロール本体、
前記ロール本体の軸方向の一端および他端にそれぞれ配設される外側環状リブ、および
前記ロール本体の軸方向の一端側および他端側で、それぞれ、前記外側環状リブとの間に前記収納ケースの本体の側面部の厚みと略同じか僅かに大きい間隔を隔てて配設される内側環状リブを含み、
前記保持ロールが前記切欠き凹部に支持されたときの前記保持ロールの軸中心から前記収納ケースの本体の内面までの距離は、未使用の前記シート状物の直径よりも長く形成され、
前記ロール本体の軸方向の一端側および他端側の前記内側環状リブ間の長さは、前記シート状物の軸方向の長さと略同じかあるいは僅かに長く形成され、
前記外側環状リブおよび前記内側環状リブ間に、前記切欠き凹部および前記切欠き部の周縁部の少なくとも一方が係合されることを特徴とする、請求項２に記載の収納ケース。
【発明の詳細な説明】
【技術分野】
【０００１】
本発明は、収納ケースに関し、特に、キッチンペーパー、クッキングシート、食品の包装に用いられるプラスチックフィルム（所謂、ラップフィルム）、および、クッキングホイル等のシート状物の筒状体が収容され、必要なときに所望の長さだけ引き出しては切り取って用いられる収納ケースに関する。
【背景技術】
【０００２】
本発明の背景となる従来技術としては、筒状に巻かれたラップ用シート状物が収納されるケース本体の少なくとも一面の表面に磁石が付設されたラップフィルムの収納ケースが見受けられる。この場合、磁石は、ケース本体の底面板上および背面板上のいずれか一方、あるいは、底面板上と背面板上の双方に付設されることが好ましいものとなっている。この収納ケースでは、例えば、ラップ用シート状物の使用時に、ステンレス製の流し台の上や冷蔵庫、オーブン、電子レンジ等の身近な電気製品の外壁に磁石によって一時的に収納ケースを取付けて、片手による動作だけでもラップ用シート状物を引き出して切断できるというような使い方ができるようになっている（例えば、特許文献１参照）。
【先行技術文献】
【特許文献】
【０００３】
【特許文献１】特開２００６−２９０３６３号公報
【発明の概要】
【発明が解決しようとする課題】
【０００４】
しかしながら、上記した従来の収納ケースでは、磁石が付設されている面（以下、「磁石付設面」という。）が平面状に形成されている。そのため、この収納ケースを一時的に取付ける冷蔵庫、オーブン、電子レンジ等の外壁面（以下、「取付け面」という。）が曲面の場合には、磁石付設面を取付け面に沿わすことができず、この収納ケースを磁石により安定して取付け面に取付けて固定することが困難であった。
【０００５】
それゆえに、本発明の主たる目的は、取付け面が曲面の場合であっても当該取付け面に一時的に安定して取付けることができる、収納ケースを提供することである。
【課題を解決するための手段】
【０００６】
請求項１にかかる発明は、筒状に巻回されたシート状物が回動自在に収容される本体と、本体に回動自在に配設され、シート状物を覆うように、本体を開閉自在とする蓋体と、蓋体の回動方向先端部に配設され、本体からシート状物の長手方向に引き出された一端をシート状物の幅方向に切断する切断部とを含む、収納ケースであって、当該収納ケースは、本体および蓋体の少なくとも一方に配設され、吸着力によって、収納ケースを取付け面に一時的に着脱自在に固定する固定手段をさらに含み、本体および蓋体の少なくとも一方は、弾性および可撓性の少なくとも一方を有する材料で形成され、固定手段は、本体および蓋体の少なくとも一方に配設され、その長手方向に延びるＵ字状のスリット開口部と、スリット開口部で囲繞された部位を取付け面側に引き起こして形成され、吸着力を有する固定片とを含み、固定片が取付け面に沿って吸着されることを特徴とする、収納ケースである。
請求項１にかかる発明では、上記した構成を有するので、取付け面が曲面に形成されている場合であっても、固定片の弾性および可撓性の少なくとも一方の機能により、固定片が曲面に沿うように変形し、且つ、その吸着力により、固定片は、取付け面の曲面に沿って強固に密着されて取付けられる。また、取付け面が平面に形成されている場合、固定片は殆ど変形しないで取付け面の平面に沿って強固に密着されて取付けられる。このとき、固定片の根元部には、負荷としての変形応力は殆ど作用しない。そのため、長期間に亘って、この収納ケースを繰返し平面に取付けて使用した場合でも、曲面に繰返し取付ける場合に比べて、疲労による固定片の機械的強度の低下が防止される。
請求項２にかかる発明は、請求項１にかかる発明に従属する発明であって、収納ケースは、シート状物に挿通され、シート状物を回動自在に保持する保持ロールを含み、本体は、長手方向に延び設けられる底面部と、底面部の長手方向の一端および他端に対向して設けられる２つの側面部と、２つの側面部の上端部に配設され、保持ロールを着脱自在に支持する支持部と、底面部の幅方向の一端で且つ底面部の長手方向に延び設けられる背面部とを含み、その上面、正面および正面寄りの底面が開放された箱状に形成され、蓋体は、長手方向に延び設けられる天面部と、天面部の長手方向の一端および他端に対向して設けられる２つの側面部と、天面部の幅方向の一端で且つ天面部の長手方向に延び設けられる正面部とを含み、その底面が開放された箱状に形成されることを特徴とする、収納ケースである。
請求項２にかかる発明では、上記した構成を有するので、未使用のシート状物が挿通された保持ロールを本体に装着した場合、開放された本体の正面および正面寄りの底面および開放された蓋体の底面から、当該シート状物が露出される。したがって、収納ケースの下方からシート状物が露出される。そのため、シート状物をその長手方向の一端から引き出していくことが可能となる。そして、シート状物が使用されてシート状物が減っていくと、シート状物の径方向の長さが短くなり、それに連動して、蓋体が閉蓋方向に回転していく。さらに、シート状物が使用されてシート状物が減っていくと、遂には、蓋体が閉じて、蓋体の天面部が本体の側面部に当接する。この場合でも、シート状物は、開放された本体の正面寄りの底面側（下側）から露出される。そのため、請求項２にかかる発明では、上記した請求項１に記載の作用・効果に加えて、シート状物の長手方向の一端側が本体の背面部側に偏位して巻き込んだ場合でも、収納ケースの下方に露出する本体の底面からシート状物の長手方向の一端側を摘み出すことが可能となる効果を奏するものとなっている。
請求項３にかかる発明は、請求項２にかかる発明に従属する発明であって、シート状物は、円筒状に巻回されたシート状物を含み、支持部は、側面部の上端部の正面側に配設される切欠き凹部を含み、保持ロールは、筒状のロール本体と、ロール本体の軸方向の一端および他端にそれぞれ配設される外側環状リブと、ロール本体の軸方向の一端側および他端側に、それぞれ、外側環状リブとの間に収納ケースの本体の側面部の厚みと略同じか僅かに大きい間隔を隔てて配設される内側環状リブとを含み、保持ロールが切欠き凹部に支持されたときの保持ロールの軸中心から収納ケースの本体の内面までの距離は、未使用のシート状物の直径よりも長く形成され、ロール本体の軸方向の一端側および他端側の内側環状リブ間の長さは、シート状物の軸方向の長さと略同じかあるいは僅かに長く形成され、外側環状リブおよび内側環状リブ間に、切欠き凹部および切欠き部の周縁部の少なくとも一方が係合されることを特徴とする、収納ケースである。
請求項３にかかる発明では、上記した構成を有するので、シート状物が挿通された保持ロールを本体に装着したとき、シート状物をロール本体の軸方向の一端側および他端側の内側環状リブ間に配置することが可能となる。また、保持ロールを切欠き凹部に支持したときの保持ロールの軸中心から収納ケースの本体の内面までの距離が、未使用のシート状物の直径よりも長く形成されている。そのため、収納ケースの本体に支持されたシート状物の外周面は、本体とは直接当接することがなく、蓋体とのみ当接する。この場合、請求項３にかかる発明では、上記した請求項２に記載の作用・効果に加えて、蓋体の自重だけでシート状物の外周面を押圧することが可能となるため、シート状物をその長手方向の一端から引き出すときの回転を阻害する摩擦抵抗をできる限り小さく抑えることが可能となり、且つ、引き出されたシート状物を切断部で切断し易くするために、保持ロールと蓋体との間でシート状物を保持する必要最小限のグリップ力を確保することが可能となる。
【発明の効果】
【０００７】
本発明によれば、ロール状の包装用シート状物だけを取り換えるだけで、収納ケース自体は繰り返し使用することができると共に、所望する取り付け部位に着脱自在に取り付けることができ、且つ、当該包装用シート状物の取り換え作業等の操作性が極めて簡便となる包装用シート状物の収納ケースが得られる、という効果を奏するものである。
【０００８】
本発明の上述の目的、その他の目的、特徴および利点は、図面を参照して行う以下の発明を実施するための形態の説明から一層明らかとなろう。
【図面の簡単な説明】
【０００９】
【図１】本発明にかかる収納ケースの一例を示す斜視図であって、特に、本体に対して蓋体を閉じた状態（閉蓋状態）の一例を収納ケースの正面側からみた斜視図である。
【図２】図１の平面図である。
【図３】図１の正面図である。
【図４】図１の底面図である。
【図５】図１の背面図である。
【図６】図１の右側面図である。
【図７】図３のＡ−Ａ切断線における断面図である。
【図８】図６のＢ−Ｂ切断線における断面図である。
【図９】図１に示す収納ケースを背面側からみた斜視図であって、固定手段の一例を示す斜視図である。
【図１０】スリット開口部で囲繞された部位を取付け面側に引き起こして形成される固定片を収納ケースの背面側からみた斜視図である。
【図１１】図１〜図１０に示す収納ケースを平面の取付け面に取付けた状態の一例を示す図であって、（Ａ）はその平面図であり、（Ｂ）はその右側面図である。
【図１２】図１〜図１０に示す収納ケースを曲面の取付け面に取付けた状態の一例を示す図であって、（Ａ）はその平面図であり、（Ｂ）はその右側面図である。
【図１３】図１〜図１０に示す収納ケースの蓋体を開いた状態（開蓋状態）を収納ケースの正面側からみた斜視図である。
【図１４】図１３の平面図である。
【図１５】図１３の正面図である。
【図１６】図１３の底面図である。
【図１７】図１３の背面図である。
【図１８】図１３の右側面図である。
【図１９】図１３に示す収納ケースを背面側からみた斜視図である。
【図２０】図１〜図１９に示す収納ケースにおいて、保持ロールを当該収納ケースの本体に着脱自在に装着する方法の一例を収納ケースの正面側からみた斜視図である。
【図２１】図１〜図１９に示す収納ケースにおいて、保持ロールを当該収納ケースの本体に着脱自在に装着したときの収まり状態を示す要部拡大断面図である。
【図２２】本発明にかかる収納ケースに用いられ得る保持ロールの他の例を示すとともに、当該保持ロールを収納ケースの本体に着脱自在に装着したときの収まり状態を示す要部拡大断面図である。
【図２３】本発明にかかる収納ケースに用いられ得る保持ロールのさらに他の例を示すとともに、当該保持ロールを収納ケースの本体に着脱自在に装着したときの収まり状態を示す要部拡大断面図である。
【図２４】図１〜図１９に示す収納ケースにおいて、特に、本体に対して蓋体を閉じた状態（閉蓋状態）の他の例を収納ケースの正面側からみた斜視図である。
【図２５】図２４の平面図である。
【図２６】図２４の正面図である。
【図２７】図２４の底面図である。
【図２８】図２４の背面図である。
【図２９】図２４の右側面図である。
【図３０】図２４に示す収納ケースを背面側からみた斜視図である。
【図３１】図１〜図１９および図２４〜図３０に示す収納ケースにおいて、当該収納ケースの下方に露出する本体の底面からシート状物の長手方向の一端側を摘み出す状態を説明するための断面図である。
【発明を実施するための形態】
【００１０】
図１は、本発明にかかる収納ケースの一例を示す斜視図であって、特に、本体に対して蓋体を閉じた状態（閉蓋状態）の一例を収納ケースの正面側からみた斜視図である。図２は図１の平面図であり、図３は図１の正面図であり、図４は図１の底面図であり、図５は図１の背面図であり、図６は図１の右側面図である。また、図７は、図３のＡ−Ａ切断線における断面図であり、図８は、図６のＢ−Ｂ切断線における断面図である。さらに、図９は、図１に示す収納ケースを背面側からみた斜視図であって、固定手段の一例を示す斜視図である。
本発明にかかる収納ケースは、キッチンペーパー、クッキングシート、食品の包装に用いられるプラスチックフィルム（所謂、ラップフィルム）、および、クッキングホイル等のシート状物の筒状体が収容され、必要なときに所望の長さだけ引き出しては切り取って用いられる収納ケースであるが、以下に示す実施の形態では、特に、たとえば円筒状に巻回されたキッチンペーパー、クッキングシートを取り換え自在に収容するのに好適な収納ケース１０について説明する。
【００１１】
先ず、本実施の形態にかかる収納ケース１０の概略構成について簡単に説明する。
収納ケース１０は、たとえば図１，図３，図６，図７，図８，図１３，図１５，図１８，図２０に示すように、円筒状に巻回されたシート状物Ｗを収納する本体１２と、本体１２に回動自在に配設され、本体１２を開閉自在とする蓋体１４と、蓋体１４の回動方向先端部の内側に配設され、本体１２からシート状物Ｗの長手方向に引き出された一端をシート状物Ｗの幅方向に切断する切断部１６とを備えている。本体１２および蓋体１４の少なくとも一部には、たとえば図５，図９，図１０，図１７および図１９に示すように、固定手段１８が配設されている。固定手段１８は、磁気吸着力によって、たとえば図１１および図１２に示すように、当該収納ケース１０を冷蔵庫、オーブン、電子レンジ等の外壁面Ｐ（以下、「取付け面Ｐ」という。）に一時的に着脱自在に取付けて固定する機能を有するものである。
【００１２】
本実施の形態にかかる収納ケース１０の構造について、以下、詳細に説明する。なお、以下の説明では、収納ケース１０をたとえば図１〜図９でみた場合に、当該収納ケース１０の正面側を「前側」、背面側を「後側」、右側面側を「右側」、左側面側を「左側」、平面側を「上側」および底面側を「下側」と呼び変えて説明する場合がある。
【００１３】
先ず、この収納ケース１０の本体１２について、特に、たとえば図３，図７，図６，図８，図１３および図１９を適宜参照しながら説明する。
本体１２は、図１３に示すように、長手方向に延び設けられるたとえば平面視横長矩形状の底面部２０を含む。底面部２０の長手方向の一端および他端には、それぞれ、図１３および図７に示すように、たとえば側面視五角形状の一対の側面部２２が対向して配設されている。この場合、底面部２０は、一対の側面部２２間において、底面部２０の前側端（幅方向の一端）が一対の側面部２２の前側端よりも後側に位置するように配置されている。
【００１４】
また、底面部２０の後側端（幅方向の他端）には、図７，図１３，図１９等に示すように、側面視Ｊ字状の背面部２４が、底面部２０の長手方向に延び設けられている。背面部２４は、垂設部材２６と当該垂設部材２６に連接される斜設部材２８とで形成されている。本体１２を形成する底面部２０、一対の側面部２２および背面部２４は、それぞれ、弾性および可撓性の少なくも一方を有する、たとえば合成樹脂材料で形成されている。
本体１２は、底面部２０、一対の側面部２２および背面部２４により、たとえば図７および図１３に示すように、その上面、正面（前面）および正面（前面）寄りの底面（下面）が開放された箱状に形成されている。
【００１５】
次に、蓋体１４について、特に、たとえば図１，図３，図７，図６，図８，図１３および図１９を適宜参照しながら説明する。
蓋体１４は、図１，図１３および図１９に示すように、長手方向に延び設けられる平面視横長矩形状の天面部３０を含む。天面部３０の長手方向の一端および他端には、それぞれ、たとえば側面視五角形状の一対の側面部３２が対向して配設されている。また、天面部３０の幅方向の一端には、正面部３４が天面部３０の長手方向に延び設けられている。この正面部３４は、図１および図７に示すように、正面視横長矩形状で且つ断面視「く」の字状に形成され、斜設部材３６および垂設部材３８を含む。斜設部材３６は、その幅方向の一端が天面部３０に連接され、その幅方向の他端が垂設部材３８に連接されている。
【００１６】
垂設部材３８は、図１に示すように、当該垂設部材３８の外側面に、垂設部材３８の長手方向の一端から他端に亘って延設されるたとえば三角形柱状の凸条片４０を有する。この凸条片４０は、蓋体１４を開くときに、当該凸条片４０の下端部に親指等をかけて蓋体１４を上に持ち上げるようにして、蓋体１４を開き易くするものとなっている。天面部３０、一対の側面部３２および正面部３４は、それぞれ、弾性および可撓性の少なくも一方を有する、たとえば合成樹脂材料で形成されている。
蓋体１４は、天面部３０、一対の側面部３２および正面部３４により、たとえば図７および図１３に示すように、その底面（下面）が開放された箱状に形成されている。
【００１７】
本実施の形態では、本体１２および蓋体１４が弾性および可撓性の少なくも一方を有する合成樹脂材料で形成されているが、弾性および可撓性の少なくも一方を有する材料であれば、合成樹脂材料に限定されるものではなく、それ以外にも、金属材料、紙質系材料、繊維質系材料、木質系材料およびそれらの混合材料等が用いられ得る。
【００１８】
この収納ケース１０では、上記した本体１２と蓋体１４とが、特に、略相似形となる態様に形成されている。すなわち、本体１２の一対の側面部２２と蓋体１４の一対の側面部３２とが、略相似形の態様を有し、本体１２の背面部２４の垂設部材２６と、蓋体１４の天面部３０とが、略相似形の態様を有し、本体１２の背面部２４の斜設部材２８と、蓋体１４の正面部３４の斜設部材３６とが、略相似形の態様を有している。さらに、この収納ケース１０では、閉蓋状態のとき、たとえば図２４，図２９および図３１に示すように、蓋体１４の正面部３４の斜設部材３６および垂設部材３８の内側面が、本体１２の正面側（前側）にコンパクトに被さって重なり合うように、本体１２および蓋体１４の形状および大きさが設定されている。
【００１９】
収納ケース１０は、本体１２に対して蓋体１４を開閉自在とするために、本体１２と蓋体１４とが回動自在に連結される連結構造を有する。ここで、当該連結構造の一例について、たとえば図１，図２，図８，図９，図１３，図１５，図１７，図１９および図３１を参照しながら、以下、説明する。
連結構造は、図１５，図１７，図１９に示すように、基本的に同一の構造を有する、たとえば４つの枢支部４２を含む。枢支部４２は、本体１２側に配設され、凹部としてのたとえば受け孔（図示せず）を備えた受容部４４と、蓋体１４側に配設され、当該受け孔に係合される凸部としてのたとえば軸状突起４６とで構成されている。受け孔と軸状突起４６とが係合されることにより、本体１２と蓋体１４とは回動自在に枢支されるものとなっている。
【００２０】
すなわち、本体１２の背面部２４の上端側には、図１５，図１７，図１９に示すように、その長手方向に所定の間隔を隔てて、上記した４つの受容部４４が配設される。４つの受容部４４は、それぞれ、たとえば側面視逆Ｕ字状に形成され、当該背面部２４の垂設部材２６の上端面から上に突出して配設されている。
【００２１】
一方、蓋体１４の天面部３０は、図１および図２に示すように、当該天面部３０の内側面の幅方向の他端側（蓋体１４の正面部３４の反対側）で且つその長手方向に所定の間隔を隔てて、たとえば平面視Ｕ字状の４つの切り欠き部４８を有する。上記した４つの軸状突起４６は、それぞれ、４つの切り欠き部４８の対向する一方の端面から切り欠き部４８に向けて延設されて露出される。４つの切り欠き部４８の内、天面部３０の長手方向の両側に配置された２つの切り欠き部４８では、図１５および図１７に示すように、軸状突起４６が、天面部３０の長手方向の中央側に向いて延設され、天面部３０の長手方向の中間部に配置された他の２つの切り欠き部４８では、天面部３０の長手方向の両側に向いて延設されている（図示せず）。４つの軸状突起４６は、それぞれ、その先端が４つの切り欠き部４８の切り欠き幅の略中央に位置するように配設されている。
【００２２】
この場合、天面部３０の幅方向の一端側には、図７，図１３，図１５および図３１等に示すように、４つの切り欠き部４８間に、天面部３０の長手方向に延び設けられるたとえば３つの断面半円弧状部の垂下部５０を有する。垂下部５０は、天面部３０の幅方向の他端と連接されている。天面部３０の長手方向の中間部に配置された２つの切り欠き部４８の対向する一方の端面は、それぞれ、図７，図１３，図１５および図３１に示すように、たとえば断面視劣弧状の比較的薄肉の支持補強部５２で形成されている。この２つの支持補強部５２は、垂下部５０に連接されている。
【００２３】
この収納ケース１０では、上述した本体１２と蓋体１４との連結構造により、本体１２に対して蓋体１４が回動自在となり、蓋体１４で本体１２を開閉自在とすることができる。この場合、本体１２の背面部２４の上端面と、上記垂下部５０の外周面とが、摺接しても、当接部位は点接触となる。そのため、蓋体１４の回動する際の抵抗を最小限に抑えることができ、蓋体１４の回動をスムーズに行うことができる。
【００２４】
本実施の形態の収納ケース１０は、たとえば図８，図１３および図１５に示すように、円筒状に巻回されたシート状物Ｗに挿通され、シート状物Ｗを回動自在に保持する保持ロール５４をさらに含む。保持ロール５４は、特に、図１３に示すように、円筒状のロール本体５６を含む。ロール本体５６の軸方向の一端および他端には、それぞれ、たとえば断面円形環状の外側環状リブ５８が配設されている。さらに、ロール本体５６の軸方向の一端側および他端側には、それぞれ、外側環状リブ５８との間に、収納ケース１０の本体１２の側面部２２の厚みと略同じか僅かに大きい間隔を隔てて、内側環状リブ６０が配設されている。
【００２５】
この場合、ロール本体５６の軸方向の一端側および他端側の内側環状リブ６０間の長さは、シート状物Ｗの軸方向の長さと略同じかあるいは僅かに長く形成されている。また、内側環状リブ６０の直径は、外側環状リブ５８の直径よりも大きく形成されている。さらに、外側環状リブ５８および内側環状リブ６０の相対向する端面には、それぞれ、特に、たとえば図２１に示すように、テーパ面５８ａおよびテーパ面６０ａを有するテーパ溝部６２が配設されている。このテーパ溝部６２のテーパ面５８ａおよびテーパ面６０ａは、特に、図２１に示すように、断面でみて、上方にいくに従って漸次幅広となるように形成されている。
【００２６】
保持ロール５４は、図７，図８，図１３，図１８，図１９および図２０等に示すように、本体１２の一対の側面部２２の上端部に着脱自在に支持される。そこで、この保持ロール５４の本体への取付け構造の一例について、以下に説明する。
すなわち、本体１２の一対の側面部２２には、それぞれ、特に、図１３および図２１に示すように、保持ロール５４が着脱自在に係合される支持部６４が配設されている。支持部６４は、たとえば側面視Ｊ字状の切欠き凹部６６を含む。切欠き凹部６６は、一対の側面部２２の正面端側の上端部に配設されている。さらに、一対の側面部２２の内面側には、切欠き凹部６６の切欠き端面６６ａの周端縁に沿って、たとえば断面Ｊ字状の係合凸片６８が配設されている。係合凸片６８は、その端部６８ａが切欠き凹部６６側に突出し、切欠き凹部６６の切欠き端面６６ａとの間に段差７０を形成するものとなっている。
【００２７】
保持ロール５４の軸方向の両側に配置された外側環状リブ５８および内側環状リブ６０間に、切欠き凹部６６およびその周縁部が係合されることによって、保持ロール５４は、本体１２の一対の側面部２２の正面端側の上端部に、着脱自在に支持されて装着される。本実施の形態では、保持ロール５４が切欠き凹部６６に支持されたときの保持ロール５４の軸中心から収納ケース１０の本体１２の内面までの距離は、未使用のシート状物Ｗの直径よりも長く形成されている。
【００２８】
次に、切断部１６およびその取り付け構造の一例について、図１，図３，図４，図７，図８および図１５等を適宜参照しながら、以下、簡単に説明する。
切断部１６は、シート状物Ｗの幅方向の長さより長い帯状に形成され、その先端部に鋸刃状の刃先部７２ａを有する切断刃７２を含む。切断刃７２は、その長手方向の長さが、蓋体１４の正面部３４の垂設部材３８の長手方向の長さと略同一に形成され、蓋体１４の正面部３４の内側面に沿って配設されている。この場合、切断刃７２は、その刃先部７２ａが本体１２の正面部３４の外側面に露出することのないように、正面部３４の内側面に配設されている。切断刃７２は、金属材料および合成樹脂材料等で形成されている。蓋体１４が本体１２に対して閉蓋状態となるとき、図１，図６，図７，図２６，図２９および図３１に示すように、切断刃７２の刃先部７２ａは、その刃先部７２ａが垂設部材３８の内側面の下端から下に突出して使用可能な状態となっている。
【００２９】
次に、収納ケース１０を所定の取付け面に一時的に着脱自在に固定する固定手段１８について、図５，図９，図１０，図１１，図１２，図１３，図１７，図１９，図２８および図３０等を参照しながら、以下に説明する。
固定手段１８は、特に、たとえば図５，図９および図１０に示すように、本体１２および蓋体１４の少なくとも一方に配設され、その長手方向に延びるＵ字状のスリット開口部７４を含む。この実施の形態では、本体１２の背面部２４の長手方向の一方側および他方側に、それぞれ、スリット開口部７４が配設されている。スリット開口部７４で囲繞された部位７６ａは、たとえば図１０に示すように、収納ケース１０を取付ける取付け面側に引き起こされることによって、固定片７６として形成される。固定片７６は、たとえば図９，図１０に示すように、当該固定片７６の長手方向の一端側（固定片７６の先端側）に固定凹部７８を有する。固定凹部７８には、その裏面にたとえば接着剤が塗布されたマグネット８０が固着される。固定片７６の長手方向の長さは、収納ケース１０を取付ける部位に応じて、適宜、変更され得るものであって、スリット開口部７４の長手方向の長さを調整することによって、変更可能となる。
この実施の形態では、本体１２の背面部２４の長手方向の中央部に、上記スリット開口部７４を設けないで、単に、固定凹部７８にマグネット８０を固着した構成の他の固定手段１８が配設されている。この場合、上記した２つの固定片７６の間の略中央に位置する箇所に固定凹部７８が配設され、
また、固定凹部７８に取り付けられたマグネット８０の表面側には、当該マグネット８０を保護するための保護シート（図示せず）が、固定凹部７８の上端周縁部を囲繞するように被覆することが好ましい。
【００３０】
また、マグネット８０に換えて、固定凹部７８に、粉末マグネットが混入され、上記マグネット８０と同形同大のプラスチック板（図示せず）を接着するようにしてもよい。
さらに、固定手段１８としては、マグネット８０に換えて、たとえばミクロ吸盤（図示せず）を採用してもよい。この場合、ミクロ吸盤は、たとえば直径数百ミクロン以下の無数の凹状ないし気孔を有するシート基材（図示せず）を含み、シート基材の裏面に形成された接着剤層（図示せず）により、固定凹部７８に貼付される。また、このミクロン吸盤は、固定片７６の外側面の略全面に貼付される態様であってもよい。
ミクロ吸盤は、無数の凹状ないし気孔の負圧吸着作用により、たとえばガラスおよびステンレス製（ＳＵＳ３００系）の平滑面を有する吸着対象物の外壁面に繰返し吸着固定され得るものである。このミクロ吸盤は、マグネットの磁気吸着力では吸着させることができない吸着対象物に適用されて好適なものとなっている。
【００３１】
使用者がこの収納ケース１０を使用する場合には、たとえば図１１および図１２に示すように、たとえば冷蔵庫，オーブン，電子レンジ等の家電製品の筐体の外面、あるいは、たとえばＳＵＳ４００系のステンレス製の流し台の上面等、使用者が所望する所定の取付け面Ｐに、当該収納ケース１０を固定手段１８の吸着力により一時的に着脱自在に固定することができる。したがって、使用者は、使用場所近辺の目につきやすいところに、この収納ケース１０を取り付けて、片手による動作だけでも当該収納ケース１０を操作することができるため、収納ケース１０の保管場所の確保にも利便性のあるものとなっている。さらに、消耗品であるキッチンペーパー、クッキングシート等のシート状物Ｗを詰め替えて当該収納ケース１０を繰り返し使用することで、廃棄物を減らして資源保護と環境保全の対策の一環に寄与することも可能となっている。
【００３２】
本実施の形態にかかる収納ケース１０では、上述した構造を有するので、たとえば図１２に示すように、取付け面Ｐが曲面に形成されている場合であっても、固定片７６の弾性および可撓性の少なくとも一方の機能により、固定片７６が曲面に沿うように変形し、当該固定片７６の持つ吸着力により、固定片７６は、曲面の取付け面Ｐに沿って強固に密着されて一時的に着脱自在に固定される。
また、取付け面Ｐが平面に形成されている場合、たとえば図１１に示すように、固定片７６は殆ど変形しないで平面の取付け面Ｐに沿って強固に密着されて一時的に着脱自在に固定される。この場合、固定片７６の根元部には、負荷としての変形応力は殆ど作用しないため、曲面の取付け面Ｐに繰返し取付ける場合に比べて、疲労による固定片７６の機械的強度の低下が防止される。
【００３３】
また、本実施の形態にかかる収納ケース１０では、たとえば図７に示すように、未使用のシート状物Ｗが挿通された保持ロール５４を本体１２に装着した場合、開放された本体１２の正面および正面寄りの底面および開放された蓋体１４の底面から、当該シート状物Ｗが露出される。したがって、シート状物Ｗは、収納ケース１０の下方から露出される。そのため、シート状物Ｗをその長手方向の一端から引き出していくことが可能となる。
そして、シート状物Ｗが使用されてシート状物Ｗが減っていくと、シート状物Ｗの径方向の長さが短くなり、それに連動して、蓋体１４が閉蓋方向に回転していく。
さらに、シート状物Ｗが使用されてシート状物Ｗが減っていくと、たとえば図３１に示すように、遂には、蓋体１４が閉じて、蓋体１４の天面部３０が本体１２の一対の側面部２２に当接する。
【００３４】
未使用のシート状物Ｗが挿通された保持ロール５４を本体１２に装着した場合、シート状物Ｗの外周面は、収納ケース１２の蓋体１４の天面部３０、斜設部材３６および垂設部材３８に当接する。また、シート状物Ｗが使用されてシート状物Ｗが減っていき、蓋体１４が閉じた場合、シート状物Ｗの外周面は、収納ケース１０の蓋体１４の天面部３０および斜設部材３６に当接する。
【００３５】
この場合、シート状物Ｗは、開放された本体１２の正面寄りの底面から露出される。そのため、シート状物Ｗの長手方向の一端側が本体１２の背面部２４側に偏位して巻き込んだ場合でも、図３１に示すように、収納ケース１０の下方に露出する本体１２の下側からシート状物Ｗの長手方向の一端側を摘み出すことができる。
すなわち、蓋体１４の天面部３０が本体１２の一対の側面部２２に当接して蓋体１４が閉じた場合、この収納ケース１０の下側には、特に、たとえば図７および図３１に示すように、底面部２０の前側が開放された隙間部Ｇを有するものとなっているため、この隙間部Ｇからシート状物Ｗの長手方向の一端側を摘み出すことができる。
【００３６】
さらに、本実施の形態にかかる収納ケース１０では、たとえば図１３，図１５，図２０，図２１に示すように、シート状物Ｗが挿通された保持ロール５４を本体１２に装着したとき、シート状物Ｗをロール本体５６の軸方向の一端側および他端側の内側環状リブ６０間に配置することができる。また、保持ロール５４を本体１２の一対の側面部２２の切欠き凹部４８に支持したときの保持ロール５４の軸中心から収納ケース１０の本体１２の内面までの距離が、未使用のシート状物Ｗの直径よりも長く形成されているため、収納ケース１０の本体１２に支持されたシート状物Ｗの外周面は、本体１２とは直接当接することがなく、蓋体１４とのみ当接する。この場合、たとえば図７に示すように、蓋体１４の自重だけでシート状物Ｗの外周面を押圧することができるため、シート状物Ｗをその長手方向の一端から引き出すときの回転を阻害する摩擦抵抗をできる限り小さく抑えることができる。さらに、引き出されたシート状物Ｗを切断部１８で切断し易くするために、保持ロール５４と蓋体１４との間でシート状物Ｗを保持する必要最小限のグリップ力を確保することもできる。
【００３７】
また、本実施の形態にかかる収納ケース１０では、たとえば図１３，図１５および図２１に示すように、保持ロール５４の軸方向の両側において、外側環状リブ５８および内側環状リブ６０の相対向する端面の間に、上方にいくに従って漸次幅広となるテーパ面５８ａおよびテーパ面６０ａを有するテーパ溝部６２が配設されているので、保持ロール５４を収納ケース１０の本体１２の側面部２２に装着し易いものとなっている（特に、たとえば図２１参照）。さらに、保持ロール５４は、円筒状に形成されているため、当該保持ロール５４を収納ケース１０の本体１２に装着する場合に、ロール本体５６の軸方向の一端側から当該ロール本体５６の中空部に指を入れて片手でセットすることもできる。
【００３８】
さらに、本実施の形態にかかる収納ケース１０では、特に、たとえば図１３および図２１に示すように、保持ロール５４の軸方向の両端側に配設されたテーパ溝部６２と、収納ケース１０の本体１２の一対の側面部２２に配設された係合凸片６８とが係合され、且つ、保持ロール５４に配設された外側環状リブ５８と、本体１２の一対の側面部２２に配設された段差７０とが係合されることによって、保持ロール５４を本体１２の一対の側面部２２にセットする構成となっている。この場合、この収納ケース１０では、本体１２の一対の側面部２２の内面側と蓋体１４の一対の側面部３２の内面側との間隔をできる限り小さくすることによって、無駄なスペースを省くことができる。そのため、保持ロール５４を収納ケース１０の本体１２に装着するためのスペースが必要以上に大きくなって、ロール本体５６の中空部に指を入れて片手でセットする際の作業の効率が低下するのが防止される。
【００３９】
なお、本実施の形態にかかる収納ケース１０では、上記したように、保持ロール５４を本体１２にセットする場合に、保持ロール５４のテーパ溝部６２と本体１２の係合凸片６８とが係合され、且つ、保持ロール５４の外側環状リブ５８と本体１２の段差７０とが係合される構造を有するものであったが、それに限定されるものではなく、たとえば図２２に示すように、保持ロール５４のテーパ溝部６２と本体１２の切欠き凹部６６の切欠き端面６６ａとを係合させる構造であってもよく、また、たとえば図２３に示すように、保持ロール５４のロール本体５６を円柱状に形成し、ロール本体５６の軸方向の両端部に、当該ロール本体５６から延設される断面円形の摘み部８２を配設するようにしてもよい。図２２および図２３に示す構造の場合には、いずれも、本体１２の一対の側面部２２の内面には係合凸片６８が配設されないものである。
この収納ケース１０では、本体１２の一対の側面部２２の内面側と蓋体１４の一対の側面部３２の内面側との間隔をできる限り小さくすることによって、無駄なスペースを省くという観点から、図２１に示す保持ロール５４と本体１２との装着構造が最も好ましいものとなっている。
【符号の説明】
【００４０】
１０  収納ケース
１２  本体
１４  蓋体
１６  切断部
１８  固定手段
２０  本体の底面部
２２  本体の一対の側面部
２４  本体の背面部
２６  本体の背面部の垂設部材
２８  本体の背面部の斜設部材
３０  蓋体の天面部
３２  蓋体の一対の側面部
３４  蓋体の正面部
３６  蓋体の正面部の斜設部材
３８  蓋体の正面部の垂設部材
４０  凸条片
４２  枢支部
４４  受容部
４６  軸状突起
４８  切欠き部
５０  垂下部
５２  支持補強部
５４  保持ロール
５６  ロール本体
５８  外側環状リブ
５８ａ，６０ａ  テーパ面
６０  内側環状リブ
６２  テーパ溝部
６４  支持部
６６  切欠き凹部
６６ａ  切欠き端面
６８  係合凸片
７０  段差
７２  切断刃
７２ａ  刃先部
７４  スリット開口部
７６  固定片
７６ａ  スリット開口部で囲繞された部位
７８  固定凹部
８０  マグネット
８２  摘み部
Ｗ  シート状物
Ｐ  収納ケースの取付け面
Ｇ  隙間部
【図１】
0005492143.tif 000002
【図２】
0005492143.tif 000003
【図３】
0005492143.tif 000004
【図４】
0005492143.tif 000005
【図５】
0005492143.tif 000006
【図６】
0005492143.tif 000007
【図７】
0005492143.tif 000008
【図８】
0005492143.tif 000009
【図９】
0005492143.tif 000010
【図１０】
0005492143.tif 000011
【図１１】
0005492143.tif 000012
【図１２】
0005492143.tif 000013
【図１３】
0005492143.tif 000014
【図１４】
0005492143.tif 000015
【図１５】
0005492143.tif 000016
【図１６】
0005492143.tif 000017
【図１７】
0005492143.tif 000018
【図１８】
0005492143.tif 000019
【図１９】
0005492143.tif 000020
【図２０】
0005492143.tif 000021
【図２１】
0005492143.tif 000022
【図２２】
0005492143.tif 000023
【図２３】
0005492143.tif 000024
【図２４】
0005492143.tif 000025
【図２５】
0005492143.tif 000026
【図２６】
0005492143.tif 000027
【図２７】
0005492143.tif 000028
【図２８】
0005492143.tif 000029
【図２９】
0005492143.tif 000030
【図３０】
0005492143.tif 000031
【図３１】
0005492143.tif 000032